(57)【要約】【課題】ＬＤＬコレステロール算出式により算出される、ＬＤＬコレステロール値が、容易に求められるスケールの提供。【解決手段】鞘状をなし内部に、後記滑り尺を有する固定尺２と、その中を、左右自在に動く滑り尺７からなる。固定尺２には上下に２つの開口窓を有し、上方に窓３、下方に窓４を形成し、窓３の下縁に沿ってＨＤＬコレステロール目盛り５を、窓４の上縁に沿って中性脂肪目盛り６を表示する。滑り尺７に、固定尺２の窓３から露出する部分に、窓下縁に沿って総コレステロール目盛り８を、窓４から露出する部分に、窓上縁に沿ってＬＤＬコレステロール目盛り９を表示する。【選択図】図１
0003133414.tif 000002
【実用新案登録請求の範囲】
【請求項１】
ＬＤＬコレステロール値算出式により算出されるＬＤＬコレステロール値を求めるＬＤＬコレステロール早見スケールであって、前記算出式のＨＤＬコレステロール値を目盛りで表したＨＤＬコレステロール目盛り、中性脂肪値を目盛で表した中性脂肪目盛りを有する第１スケールと、
前記算出式の総コレステロール値を目盛で表した総コレステロール目盛り、ＬＤＬコレステロール値を目盛で表したＬＤＬコレステロール目盛り、を有する第２スケールと、を備え、ＨＤＬコレステロール目盛りと総コレステロール目盛りとを、目盛り合わせ可能に対応させると共に、中性脂肪目盛りとＬＤＬコレステロール目盛りとを、目盛り値を読みとり可能に対応させ、
且つ前記第１スケール及び前記第２スケールの一方を固定尺とし、他方を滑り尺としたことを特徴とするＬＤＬコレステロール早見スケール。
【請求項２】
前記中性脂肪目盛りは、数値間距離巾を、前記、他３種の目盛りに対し、５分の１として、作成されていることを特徴とする請求項１に記載の
ＬＤＬコレステロール早見スケール。
【考案の詳細な説明】
【技術分野】
【０００１】    本考案は、ＬＤＬコレステロール算出式により算出されるＬＤＬコレステロール値が、容易に把握できるＬＤＬコレステロール早見スケールに関するもの。
【背景技術】
【０００２】    この種のスケールとして、対象者の体重および身長から肥満度を求めるものが知られている。
【特許文献１】  実用新案登録第３１１２２７２号
【考案の開示】
【考案が解決しようとする課題】
【０００３】  ＬＤＬ（悪玉）コレステロール値（ＬＤＬＣ値）は、総コレステロール値（ＴＣ値）、ＨＤＬ（善玉）コレステロール値（ＨＤＬＣ値）、中性脂肪（トリグリセリド）値（ＴＧ値）より下記算出式により、算出される。
【数１】
0003133414.tif 000003
この計算を行わず、ＬＤＬコレステロール値を求められるスケールは、存在しなかった。【０００４】    本考案はＬＤＬコレステロール値を求める場合、固定尺と滑り尺を用いることにより、従来の電卓などにより、数１式に沿って計算することなく、誰でも簡単にＬＤＬコレステロール値が求められる、ＬＤＬコレステロール早見スケールの提供を目的としている。
【課題を解決するための手段】
【０００５】    本考案の要旨とするところは、鞘状になった固定尺と、その中を、長さ方向に滑る、滑り尺とで構成し、この固定尺に、等間隔目盛のＨＤＬコレステロール目盛り、中性脂肪目盛りを表示し、滑り尺に等間隔目盛の総コレステロール目盛り、ＬＤＬコレステロール目盛りを表示する。滑り尺を動かし、固定尺の上方の窓部でＨＤＬコレステロール目盛りと接した、滑り尺の総コレステロール目盛り、の目盛り線同志を合わせ、固定尺の下方の窓部で、中性脂肪目盛りと接した、滑り尺のＬＤＬコレステロール目盛りを読みとることにより、数１の計算値が容易に求められる、ＬＤＬコレステロール早見スケール。【０００６】    本考案は上記のような構成、機能であるから、誰でも簡単な操作によりＬＤＬコレステロール値を求めることができるものである。
【考案を実施するための最良の形態】
【０００７】    鞘状になった固定尺と、その固定尺の中を、長さ方向に滑る、滑り尺とで構成され、固定尺の表面に、上下に２つの長方形の開口窓を有する。上方の窓下縁部に沿ってＨＤＬコレステロール目盛りを表示し、下方の窓上縁部に沿って中性脂肪目盛りを表示し、他方前記滑り尺の表面に、固定尺の上方の窓から露出する部分に、窓の下縁に沿って総コレステロール目盛り、下方の窓から露出する部分に、窓の上縁に沿ってＬＤＬコレステロール目盛りを表示する。
【実施例】
【０００８】    以下、本考案の実施の形態について、図面を参照し説明します。
図１は本考案の正面図、図２は固定尺の正面図、図３は滑り尺の正面図です。【０００９】    図中１は、ＬＤＬコレステロール早見スケールであり、後記固定尺と滑り尺からなるものである。【００１０】    ２は鞘状で、内部を長さ方向に滑り尺が自由に動く固定尺で、表面上方に長方形の窓３を有し、窓の下縁部に等間隔目盛で表されたＨＤＬコレステロール目盛り５を表示する。固定尺の表面下方に長方形の窓４を有し、窓の上縁部に等間隔目盛で表された中性脂肪目盛り６を表示する。【００１１】    ７は前記固定尺の内部を長さ方向に可動する滑り尺である。滑り尺７の表面上方には、固定尺２の上方にある窓３の下縁に露出する様、等間隔目盛りで表された総コレステロール目盛り８を表示し、滑り尺７の表面下方には、固定尺２の下方にある窓４の上縁に露出する様、等間隔目盛で表されたＬＤＬコレステロール目盛り９を表示する。【００１２】    ＨＤＬコレステロール目盛り、総コレステロール目盛り、ＬＤＬコレステロール目盛りは等間隔目盛りで、数値間の距離巾も同一の目盛りとし、右方向に目盛りの数値が高くなる順方向目盛りとする。【００１３】    中性脂肪目盛りは等間隔目盛りであるが、数値間の距離巾は、前項同一である３種の目盛りの数値間距離巾の５分の１とし、左方向に数値が高くなる逆方向目盛りとする。
これは、数１の計算式において中性脂肪値は、０．２を乗じた後、減ずることによる。【００１４】    ここでの４種の目盛りの表示範囲、数値間距離巾、目盛り方向を表１の様に設定する。
【表１】
0003133414.tif 000004
【００１５】    固定尺のＨＤＬコレステロール目盛り、中性脂肪目盛り、滑り尺の総コレステロール目盛り、ＬＤＬコレステロール目盛りのＸ軸（左右）方向の設定位置は、図１の様に、滑り尺を動かし、ＨＤＬコレステロール目盛りの３０の目盛り線と、総コレステロール目盛りの２００の目盛り線とを、点線Ｙ１の様に直線上に合わせた時、同時にＨＤＬコレステロール目盛りの１５０の目盛り線と総コレステロール目盛りの３２０の目盛り線とも、点線Ｙ２の様に直線上となる。この２種の目盛り線を直線上に合わせた時、中性脂肪目盛りの０の目盛り線と、接するＬＤＬコレステのロール目盛りの１７０の目盛り線が、点線Ｙ３の様に直線上となる様、それぞれの目盛り位置を設定する。これにより数１の計算式を満たす設定位置となる。【００１６】    固定尺に表したＨＤＬコレステロール目盛り、中性脂肪目盛り、滑り尺に表した総コレステロール目盛り、ＬＤＬコレステロール目盛りは、固定尺に総コレステロール目盛りＬＤＬコレステロール目盛り、滑り尺にＨＤＬコレステロール目盛り、中性脂肪目盛り、を表示しても良い。この場合も同様の機能を果たす。【００１７】    目盛り数値の方向を、ここでは、総コレステロール目盛り、ＨＤＬコレステロール目盛り、ＬＤＬコレステロール目盛り、は順方向目盛りとし、中性脂肪目盛りは、逆方向目盛りとしたが、総コレステロール目盛り、ＨＤＬコレステロール目盛り、ＬＤＬコレステロール目盛り、を逆方向目盛り、中性脂肪目盛りを、順方向目盛りとしても良い。
この場合も同様の機能を果たす。【００１８】    固定尺にある窓３、窓４の２つの窓穴は、窓穴を１つにして、固定尺の窓上縁部に、ＨＤＬコレステロール目盛りを、下縁部に中性脂肪目盛りを表示し、滑り尺の表面に、固定尺の窓から露出する上縁部に総コレステロール目盛りを、下縁部にＬＤＬコレステロール目盛りを表示しても良い。この場合でも同様の機能を果たす。【００１９】    総コレステロール値、ＬＤＬコレステロール値、ＨＤＬコレステロール値、中性脂肪値は、それぞれ医学的な診断基準の数値を決めている。
目盛り内で、これらの診断基準値を越えた領域は、目盛りの色を変える、などの表示も可能である。【００２０】    ４つの目盛りは、目盛りの種別毎に色を変えると、一層目盛り同志の読みとりが、し易くなる。【００２１】次に本考案の使用方法について説明する。
図１において滑り尺７を動かして、固定尺２の上方に位置する窓３の下縁に表示されたＨＤＬコレステロール目盛り５と、滑り尺７に表示された総コレステロール目盛り８の、目盛り線同志を合わせた状態で、固定尺２の下方の窓４の上縁に表示された中性脂肪目盛り６の目盛り線と接した、滑り尺７のＬＤＬコレステロール目盛り９の目盛線の数値を読みとり、ＬＤＬコレステロール値が求められる。
【図面の簡単な説明】
【００２２】
【図１】本考案の正面図である。
【図２】固定尺の正面図である。
【図３】滑り尺の正面図である。
【符号の説明】
【００２３】    １    ＬＤＬコレステロール早見スケール
２    固定尺
３    窓
４    窓
５    ＨＤＬコレステロール目盛り
６    中性脂肪目盛り
７    滑り尺
８    総コレステロール目盛り
９    ＬＤＬコレステロール目盛り
Ｙ１  各目盛りの位置関係を示す点線
Ｙ２  各目盛りの位置関係を示す点線
Ｙ３  各目盛りの位置関係を示す点線
【図１】
0003133414.tif 000005
【図２】
0003133414.tif 000006
【図３】
0003133414.tif 000007